(57)【特許請求の範囲】
【請求項１】
吸込圧を発生するモータファンおよび塵埃を収容する集塵室を有する掃除機本体と、掃除機本体の下部に設けられ、モータファンの吸込圧により清掃面の塵埃を前記集塵室に集塵する床ノズルとを備え、前記床ノズルの下面には、モータファンからの排気空気を排気する排気口と、清掃面に対して略平行かつ前記排気空気により浮上力を受ける浮上板を前記排気口の全周囲に設け、この浮上板の外周を囲むようにモータファンの吸込側に接続される吸込流路を接続した吸込口を設けた電気掃除機。
【請求項２】
吸込圧を発生するモータファンおよび塵埃を収容する集塵室を有する掃除機本体と、掃除機本体の下部に設けられ、モータファンの吸込圧により清掃面の塵埃を前記集塵室に集塵する床ノズルとを備え、前記床ノズルの下面には、モータファンからの排気空気を排気する排気口と、前記排気空気により清掃面に対して浮上力を受ける浮上板を設け、この浮上板の外周にはモータファンの吸込側に接続される吸込流路を接続した吸込口を設け、浮上板の下面に設けた吸込口は清掃面の塵埃を主体に吸い込む主吸込口を有し、この主吸込口を床ノズルの押し出し操作方向側に設けた電気掃除機。
【請求項３】
浮上板の下面外周に設けた吸込口を溝形状に形成し、その最底部に吸込流路に接続している複数の吸込流路入口を設けた請求項２記載の電気掃除機。
【請求項４】
浮上板の下面外周に設けた吸込口の断面形状を、吸込流路入口における吸込口の吸込力が略均一となるよう設定した請求項２または３記載の電気掃除機。
【請求項５】
浮上板の下面外周に設けた吸込口の内縁部に、排気口から浮上板の外周部へいくほど清掃面と浮上板下面との距離が大きくなっている傾斜面または段差面を設けた請求項２記載の電気掃除機。
【請求項６】
吸込圧を発生するモータファンおよび塵埃を収容する集塵室を有する掃除機本体と、掃除機本体の下部に設けられ、モータファンの吸込圧により清掃面の塵埃を前記集塵室に集塵する床ノズルとを備え、前記床ノズルの下面には、モータファンからの排気空気を排気する排気口と、前記排気空気により清掃面に対して浮上力を受ける浮上板を設け、この浮上板の外周にはモータファンの吸込側に接続される吸込流路を接続した吸込口を設け、浮上板の下面外周に設けた吸込口の内縁部に、傾斜面または段差面を設け、この傾斜面または段差面に、モータファンの吸込側に接続される第２の吸込口を設けた電気掃除機。
【発明の詳細な説明】
【０００１】
【産業上の利用分野】
本発明はモータファンからの排気空気を利用して移動操作を軽くした電気掃除機に関するものである。
【０００２】
【従来の技術】
本発明者らは排気空気を利用した電気掃除機につき開発を進めており、既に特願平６ー１９３３６号でその電気掃除機を提案している。
【０００３】
以下、本発明者らが提案している電気掃除機を図１０に基づいて説明する。掃除機本体１は、モータファン２・集塵袋３を内包している。掃除機本体１は、モータファン２・集塵袋３を覆う掃除機本体カバー４と、集塵袋３を出し入れするための蓋５を有している。掃除機本体１の上部には使用者が移動に用いる把手６を設けている。また掃除機本体１の下部には、清掃面の塵埃を吸い込む床ノズル７を設けている。床ノズル７には、清掃面に対して略平行な平面を有している浮上板８を設けており、モータファン２の排気空気９を浮上板８の中央部に設けた排気口１０から吹き出して、床ノズル７および掃除機本体１を清掃面から浮かし、掃除機の移動を容易にしている。１１は前記モータファン２の排気空気９を排気口１０まで導いている排気流路である。１２は床ノズル７に設けている塵埃を吸い込むための吸込口で、絨毯面で回転する回転ブラシ１３を有している。１４はこの塵埃を集塵袋３に導くための吸込流路、１５は集塵袋３の入口である。
【０００４】
以上の構成で、操作が軽くて使い勝手の良い電気掃除機として作用するものである。すなわち、使用者が把手６に設けているスイッチをオンしてモータファン２の作動を開始すると、吸込流１６が発生して、床ノズル７の吸込口１２から清掃面の塵埃を吸い込んで、吸込流路１４を介して掃除機本体１内の集塵袋３まで導くものである。清掃面の種類が絨毯である場合には、回転ブラシ１３が回転して掻き上げた絨毯面の塵埃を吸い込むものである。このときモータファン２の排気空気９は、排気流路１１を通って浮上板８のほぼ中央部に設けている排気口１０から吹き出されるようになっている。浮上板８は、清掃面に対して略平行な平面を有しており、この排気空気９により浮上板８には清掃面から浮上する力が作用することになる。つまり、使用者の掃除機の操作がこの浮上力によって非常に軽いものとなり、前後方向は勿論左右方向への移動も極めて容易になるものである。
【０００５】
【発明が解決しようとする課題】
しかしながら上記構成の電気掃除機は、排気口１０から吹き出された排気空気９の一部が床ノズル７の下部から外周囲側に出て行く際に、吸込口１２以外の外周囲側に流れる排気流が清掃面の塵埃を吸込口１２以外の方向へ吹き飛ばしてしまうという課題を有しているものである。
【０００６】
本発明はこのような従来の構成が有している課題を解決しようとするもので、塵埃を床ノズルの外部へ吹き飛ばすことなく集塵室に導くように作用して集塵効率を高め、かつ操作の軽い電気掃除機を提供することを目的としている。
【０００７】
【課題を解決するための手段】
上記目的を達成するための本発明の第一の手段は、吸込圧を発生するモータファンおよび塵埃を収容する集塵室を有する掃除機本体と、掃除機本体の下部に設けられ、モータファンの吸込圧により清掃面の塵埃を前記集塵室に集塵する床ノズルとを備え、前記床ノズルの下面には、モータファンからの排気空気を排気する排気口と、清掃面に対して略平行かつ前記排気空気により浮上力を受ける浮上板を前記排気口の全周囲に設け、この浮上板の外周を囲むようにモータファンの吸込側に接続される吸込流路を接続した吸込口を設けたものである。
【０００８】
また本発明の第二の手段は、吸込圧を発生するモータファンおよび塵埃を収容する集塵室を有する掃除機本体と、掃除機本体の下部に設けられ、モータファンの吸込圧により清掃面の塵埃を前記集塵室に集塵する床ノズルとを備え、前記床ノズルの下面には、モータファンからの排気空気を排気する排気口と、前記排気空気により清掃面に対して浮上力を受ける浮上板を設け、この浮上板の外周にはモータファンの吸込側に接続される吸込流路を接続した吸込口を設け、浮上板の下面に設けた吸込口には清掃面の塵埃を主体に吸い込む主吸込口を設け、この主吸込口を床ノズルの押し出し操作方向側に設けたものである。
【０００９】
また本発明の第三の手段は、第二の手段における吸込口を溝形状に形成し、その最底部に吸込流路に接続している複数の吸込流路入口を設けたものである。
【００１０】
また本発明の第四の手段は、第二または第三の手段における吸込口の断面形状を、吸込流路入口における吸込口の吸込力が略均一となるよう設定したものである。
【００１１】
また本発明の第五の手段は、第二の手段における吸込口の内縁部に、排気口から浮上板の外周部へいくほど清掃面と浮上板下面との距離が大きくなっている傾斜面または段差面を設けたものである。
【００１２】
また本発明の第六の手段は、吸込圧を発生するモータファンおよび塵埃を収容する集塵室を有する掃除機本体と、掃除機本体の下部に設けられ、モータファンの吸込圧により清掃面の塵埃を前記集塵室に集塵する床ノズルとを備え、前記床ノズルの下面には、モータファンからの排気空気を排気する排気口と、前記排気空気により清掃面に対して浮上力を受ける浮上板を設け、この浮上板の外周にはモータファンの吸込側に接続される吸込流路を接続した吸込口を設け、浮上板の下面外周に設けた吸込口の内縁部に、傾斜面または段差面を設け、この傾斜面または段差面に、モータファンの吸込側に接続される第２の吸込口を設けたものである。
【００１３】
【作用】
本発明の第一の手段は、吸込口を浮上板の外周を囲むように設けているので、排気口から清掃面に吹き付けた排気空気を吸込口で吸い込んで、塵埃を床ノズルの外部へ吹き飛ばすことなく集塵室に全ての塵埃を導くように作用するものである。
【００１４】
本発明の第二の手段は、床ノズルに設けている主吸込口を押し出し操作方向側としているため、大きな塵埃も容易に吸い込むように作用するものである。
【００１５】
本発明の第三の手段は、浮上板の下面外周に設けた吸込口を溝形状に形成し、その最底部に吸込流路に接続している複数の吸込流路入口を設けたので、吸込口内部での排気空気の吸込力が均一となるように作用し、その結果、吸込流の総量を小さくでき、効率の高い集塵ができるものである。
【００１６】
本発明の第四の手段は、吸込口の断面形状を、吸込流路入口における吸込力が略均一となるよう設定したため、吸込力が一層均一となるものである。
【００１７】
本発明の第五の手段は、吸込口の内縁部に排気口から浮上板の外周部へいくほど清掃面と浮上板下面との距離が大きくなっている傾斜面または段差面を設けたので、排気空気が吸込口に達するときの流速を小さくするように作用する。その結果、吸込口に吸い込み易くなり、吸込流の総量を小さくでき、効率の高い集塵ができるものである。
【００１８】
本発明の第六の手段は、吸込口の内縁部に設けた傾斜面または段差面上に、モータファンの吸込側に接続した第２の吸込口を設けたので、排気空気が吸込口に達するときの流速を小さくでき、その結果、吸込口に吸い込み易くなり、吸込流の総量を小さくでき、効率の高い集塵ができるものである。
【００１９】
【実施例】
（実施例１）
本発明の第一の手段の実施例を、図１・図２を用いて説明する。掃除機本体１７は、吸込圧を発生するモータファン１８を内蔵したモータファン室・モータファン１８の吸込圧により塵埃を集塵する集塵袋１９を内包した集塵室を備えている。掃除機本体１７は、モータファン１８・集塵袋１９を覆う掃除機本体カバー２０と、集塵袋１９を出し入れするための蓋２１を有している。掃除機本体１７の上部には使用者が移動に用いる把手２２を設けている。
【００２０】
また掃除機本体１７の下部には、清掃面の塵埃を吸い込む床ノズル２３を設けている。床ノズル２３はその下面には、清掃面に対して略平行とした浮上板２４を設け、浮上板２４には、排気流路２５を介してモータファン１８の排気空気２６を排気する排気口２７と、排気口２７の外周に位置する吸込口２８を設けている。浮上板２４は排気空気２６により清掃面に対して浮上力を受けるものである。また、吸込口２８は集塵袋１９に接続している吸込流路２９に接続されている。
【００２１】
以下本実施例の動作について説明する。モータファン１８を作動させると、モータファン１８の排気空気２６とモータファン１８の吸込流３０とが同時に発生する。排気流路２５を通って排気口２７から清掃面に吹き付けられた排気空気２６は、浮上板２４を清掃面から浮上させるように作用する。この排気空気２６は、浮上板２４の外周を囲むように設けている吸込口２８から吸い込まれて、吸込流路２９から集塵袋１９内に導かれるものである。
【００２２】
このため本実施例によれば、従来の技術で述べたように排気空気２６の一部が床ノズル２３の下部から外周部に出て行くことはないものである。つまり、排気空気２６とともに清掃面の塵埃を床ノズル２３の外部へ吹き飛ばすようなことはないものである。また、浮上板２４に浮上力が作用する結果、床ノズル２３の下面と清掃面との摩擦抵抗は大幅に低下し、前後方向にも左右方向にも移動が容易で、操作の楽な電気掃除機として作用するものである。
【００２３】
なお、本実施例では浮上力作用が最も効果的に機能する形態の一つの電気掃除機を示したが、これに限らず床ノズルを有する電気掃除機ならばどのような形態のものでも応用できるものである。また、本実施例では床ノズルの底面の形を略矩形としたが、円形や楕円形などどのような形のものであっても使用できるものである。
【００２４】
（実施例２）
次に本発明の第二の手段の実施例を図３を用いて説明する。本実施例の電気掃除機の基本構成は図１と同様なので省略し、相違点を中心に説明する。掃除機本体の下部に配設した床ノズル３１は、清掃面に略平行とした平面からなる浮上板３２と、浮上板３２の中央部に設けているモータファン１８の排気空気を排気流路３４を介して排気する排気口３５と、浮上板３２の外周に設けた吸込流路３６によって集塵袋１９に接続した吸込口３７と、床ノズル３１の押し出し操作方向側に設けている主吸込口３８とを有している。主吸込口３８は、排気空気および塵埃を集塵袋に導くための主吸込流路３９に接続している。主吸込流路３９は、吸込流路３６と一体あるいは途中から合流して集塵袋１９に接続している。
【００２５】
以下本実施例の動作について説明する。上述したように本実施例では、特に、床ノズル３１の押し出し操作方向側にゴミ吸込用の主吸込口３８を設けた床ノズルとしているため、大きな塵埃を確実に掃除することができる電気掃除機とすることができるものである。
【００２６】
（実施例３）
次に本発明の第三の手段の実施例を図４を用いて説明する。全体の構成は図１と同様であり説明を省略する。４０は掃除機本体の下部に設けている床ノズルである。床ノズル４０はその下面に、清掃面に略平行な平面からなる浮上板４１と、浮上板４１の中央部に設けているモータファン１８の排気空気４２を排気する排気口４３、浮上板４１の外周に設けた吸込口４４と、主吸込口４５とを有している。４６は排気口４３に排気空気４２を導くための排気流路、４７は排気空気４２および塵埃を集塵袋１９に導くための吸込流路である。
【００２７】
本実施例では、吸込口４４を溝形状に形成し、その最底部に吸込流路４７に接続している複数の吸込流路入口４８を設けているものである。なお吸込流路４７は、図４に示しているように複数個から一体に合流するという形態である必要はなく、集塵袋１９まで複数個のままでも良いし、吸込流路入口４８から一体のままでも良いものである。
【００２８】
以下本実施例の動作について説明する。前記しているように本実施例では、吸込口４４の内部に、吸込流路４７に通じる吸込流路入口４８を複数個設けているものである。このため、吸込口４４の内部における異なる場所での吸込力を略均一にすることができるものである。この結果、排気空気４２が清掃面の塵埃を床ノズル４０の外周部、特に主吸込口４５が位置していない外周に吹き飛ばさないように設けた吸込口４４の吸込流の総量を小さくでき、主吸込口４５による吸込量を多くして効率良く集塵ができる。
【００２９】
（実施例４）
以下本発明の第四の手段の実施例を図５を用いて説明する。本実施例においても、全体構成は図１のものと同様で説明を省略する。掃除機本体の下部に配設した床ノズル４９はその下面に、清掃面に略平行な平面で構成している浮上板５０と、浮上板５０の中央部に設けているモータファン１８の排気空気５１を排気する排気口５２と、浮上板５０の外周に設けている吸込口５３と、主吸込口５４とを備えている。排気口５２には、モータファン１８に接続して排気空気５１を導く排気流路５５を接続している。吸込口５３には、モータファン１８に接続して吸込流を導いている吸込流路５７に接続している複数の吸込流路入口５８を設けている。本実施例では吸込口５３の断面形状を、各吸込流路入口５８における吸込口の吸込力が略均一となるよう設定している。
【００３０】
すなわち、図５（ａ）、（ｂ）に示しているように、この例では、清掃面に対向する垂直方向の断面形状を傾斜面５９とすることにより、吸込流路入口５８に近い吸込口５３位置と、離れた吸込口５３位置との吸込力が均一になるようにしている。
【００３１】
以下本実施例の動作について説明する。前記したように本実施例においては、吸込口５３の断面形状を傾斜面５９とすることにより、吸込流路入口５８から離れた吸込口５３位置においては、近い位置に比して狭い通路となっているため、吸込口５３位置における吸込力が強く、全体として吸込流路入口５８に近い位置と同様な吸込力が発生し吸込力が均一化するものである。従って吸込流の総量の設定を小さくでき、効率良く集塵できる電気掃除機を実現するものである。
【００３２】
なお、本実施例では吸込口５３の清掃面と対向する面を傾斜させた構成としているが、これに代えて例えば吸込流路入口５８から離れた吸込口５３位置においては、近い位置に比して吸込口の平面における幅を狭くして全体として吸込口５３に均一な吸込力が発生するようにしてもよく、とくに実施例の構成に限られるものではない。
【００３３】
（実施例５）
以下本発明の第五の手段の実施例を図６を用いて説明する。本実施例においても、全体構成は図１のものと同様で説明を省略する。掃除機本体の下部に配設した床ノズル６０はその下面に、清掃面に略平行な平面で構成している浮上板６１と、浮上板６１の中央部に設けているモータファン１８の排気空気６２を排気する排気口６３と、浮上板６１の外周に設けている吸込口６４と、主吸込口６５とを備えている。排気口６３には、モータファン１８に接続して排気空気６２を導く排気流路６５を接続している。吸込口６４の内縁部に、段差面６６が設けられている。また、図中のｌ１、ｌ２はそれぞれ浮上板６１および段差面６６と清掃面との距離を表しており、ｌ２＞ｌ１である。
【００３４】
以下本実施例の動作について説明する。ｌ２＞ｌ１であるから、排気空気６２が通過する通路の断面積はｌ１部分よりｌ２部分の方が大きい。排気空気６２は一定流量で流れるので、ｌ１部分よりｌ２部分の方が流速が小さくなる。その結果、排気空気６２を吸込口６４に吸い込み易くなるので、吸込流の総量の設定を小さくでき、効率良く集塵できる電気掃除機を実現するものである。
【００３５】
また本実施例によれば、吸込口で排気空気を吸い込み易いので、吸込口を小さくすることができ、床ノズルをコンパクトにすることもできる。
【００３６】
なお本実施例では、段差面６６を設けた構成としているが、これに代えて傾斜面としてもよく、排気口から浮上板の外周部へいくほど清掃面と浮上板下面との距離が大きくなっている構成であれば、実施例の構成に限られるものではない。
【００３７】
（参考例１）
以下本発明の参考例を図７を用いて説明する。本参考例においても、全体構成は図１のものと同様で説明を省略する。掃除機本体の下部に配設した床ノズル６７はその下面に、清掃面に略平行な平面で構成している浮上板６８と、浮上板６８の中央部に設けているモータファン１８の排気空気６９を排気する排気口７０と、浮上板６８の外周に設けている吸込口７１と、主吸込口７２とを備えている。排気口７０には、モータファン１８に接続して排気空気を導く排気流路７３を接続している。吸込口７１の外周部にはモータファン１８からの排気空気を清掃面に噴射する噴射口７４が設けられており、この噴射口７４は清掃面に対して吸込口７１の方向へ噴射すべく傾斜角ａ゜を有している。また、７５は噴射流である。
【００３８】
以下本参考例の動作について説明する。噴射口７４から噴射された噴射流７５は、排気空気６９とぶつかりあう。このとき、排気空気６９の流速は極めて小さくなるため、吸込口７１の中へ流れ込み易くなる。従って吸込流の総量の設定を小さくでき、効率良く集塵できる電気掃除機を実現するものである。
【００３９】
（参考例２）
以下本発明の参考例を図８を用いて説明する。本参考例においても、全体構成は図１のものと同様で説明を省略する。掃除機本体の下部に配設した床ノズル７６はその下面に、清掃面に略平行な平面で構成している浮上板７７と、浮上板７７の中央部に設けているモータファン１８の排気空気７８を排気する排気口７９と、浮上板７７の外周に設けている吸込口８０と、主吸込口８１とを備えている。排気口７９には、モータファン１８に接続して排気空気を導く排気流路８２を接続している。吸込口８０の内縁部に、段差面８３が設けられている。また、図中のｌ３、ｌ４はそれぞれ浮上板７７および段差面８３と清掃面との距離を表し、ｌ４＞ｌ３である。吸込口８０の外周部にはモータファン１８からの排気空気を清掃面に噴射する噴射口８４が設けられており、この噴射口８４は清掃面に対して吸込口８０の方向へ噴射すべく傾斜角ｂ゜を有している。また、８５は噴射流である。
【００４０】
以下本参考例の動作について説明する。ｌ４＞ｌ３であるから、排気空気７８が通過する通路の断面積はｌ３部分よりｌ４部分の方が大きい。ゆえに、ｌ３部分よりｌ４部分の方が排気空気の流速は小さくなる。一方、噴射口８４から噴射された噴射流８５は、排気空気７８とぶつかりあう。このとき、排気空気７８の流速は極めて小さくなるため、吸込口８０の中へ流れ込み易くなる。従って吸込流の総量の設定を小さくでき、効率良く集塵できる電気掃除機を実現するものである。
【００４１】
また排気空気７８の流速は段差面８３によって小さくなっているので、噴射流８５の総量は小さくてよい。従って排気空気を噴射口８４に導く量は少量で済むので、浮上力を発生させる排気口７９側への排気流量を多くする、すなわち浮上力を発生させない噴射流８５の量を少なくでき、浮上力を低下を防止できる。
【００４２】
（実施例６）
以下本発明の第六の手段の実施例を図９を用いて説明する。本実施例においても、全体構成は図１のものと同様で説明を省略する。掃除機本体の下部に配設した床ノズル８６はその下面に、清掃面に略平行な平面で構成している浮上板８７と、浮上板８７の中央部に設けているモータファン１８の排気空気８８を排気する排気口８９と、浮上板８７の外周に設けている吸込口９０と、主吸込口９１とを備えている。排気口８９には、モータファン１８に接続して排気空気を導く排気流路９２を接続している。吸込口９０の内縁部に、傾斜面９３が設けられている。この傾斜面９３には、モータファン１８に接続した第２の吸込口９４が設けられている。また、ｌ５、ｌ６はそれぞれ浮上板８７および傾斜面９３の端部と、清掃面との距離を表し、ｌ６＞ｌ５である。
【００４３】
以下本実施例の動作について説明する。ｌ６＞ｌ５であるから、排気空気８８が通過する通路の断面積はｌ５部分よりｌ６部分の方が大きい。ゆえに、ｌ５部分よりｌ６部分の方が流速が小さくなる。一方、第２の吸込口９４により、排気空気８８の一部は第２の吸込口９４に吸い込まれるが、ここで吸い込まれなかった残りの排気空気の流速はさらに弱められる。このように、傾斜面９３による排気空気８８の通路の断面積の影響と、第２の吸込口９４の吸引による影響により、排気空気８８の流速は非常に小さくなる。従って吸込口に吸い込み易くなり、吸込流の総量の設定を非常に小さくでき、効率良く集塵できる電気掃除機を実現するものである。
【００４４】
【発明の効果】
本発明の第一の手段は、浮上板の外周を囲むように排気口から清掃面に吹き付けられた排気空気と塵埃とを吸い込む吸込口を有しているため、排気空気が清掃面の塵埃を床ノズルの外部へ吹き飛ばすことがなく全ての塵埃を集塵することができるものであり、集塵効率が高く、操作の軽い電気掃除機を実現するものである。
【００４５】
本発明の第二の手段は、床ノズルに設けている塵埃を吸い込むための主吸込口を押し出し操作方向側とした構成として、大きな塵埃を確実に集塵することができる電気掃除機を実現するものである。
【００４６】
本発明の第三の手段は、浮上板の下面外周に設けた吸込口を溝形状に形成し、その最底部に吸込流路に接続している複数の吸込流路入口を設けた構成として、吸込口の内部における塵埃の吸込力を均一にすることができ、吸込流の総量を小さくでき、効率の高い電気掃除機を実現するものである。
【００４７】
また本発明の第四の手段は、浮上板の外周に設けた吸込口の断面形状を吸込口の吸込力が略均一となるよう設定して、吸込口での吸込力を一層均一なものとし、吸込流の総量を小さくした効率の高い電気掃除機を実現するものである。
【００４８】
また本発明の第五の手段は、浮上板の外周に設けた吸込口の内縁部に、排気口から浮上板の外周部へいくほど清掃面と浮上板下面との距離が大きくなっている傾斜面または段差面を設けたので、排気空気が吸込口に達する際の流速を小さくできるため、吸込口に吸い込み易くなり、吸込流の総量を小さくでき、効率の高い電気掃除機を実現するものである。
【００４９】
また本発明の第六の手段は、浮上板の外周に設けた吸込口の内縁部に設けた傾斜面または段差面上に、モータファンに接続した第２の吸込口を設けたので、傾斜面または段差面による排気空気の通路の断面積の影響と、第２の吸込口の吸引による影響により、排気空気の流速を非常に小さくできるため、吸込口に吸い込み易くなり、吸込流の総量の設定を非常に小さくでき、効率良く集塵できる電気掃除機を実現するものである。
【図面の簡単な説明】
【図１】  本発明の第一の手段の実施例における電気掃除機の断面図
【図２】  同床ノズルの下面図
【図３】  本発明の第二の手段の実施例における電気掃除機の床ノズルの下面図
【図４】  本発明の第三の手段の実施例における電気掃除機の床ノズルの下面図
【図５】  （ａ）本発明の第四の手段の実施例における電気掃除機の床ノズルの下面図
（ｂ）（ａ）におけるＡ−Ａ断面図
【図６】  本発明の第五の手段の実施例における電気掃除機の床ノズルの断面図
【図７】  本発明の参考例１における電気掃除機の床ノズルの断面図
【図８】  本発明の参考例２における電気掃除機の床ノズルの断面図
【図９】  本発明の第六の手段の実施例における電気掃除機の床ノズルの断面図
【図１０】  本発明者らが提案している電気掃除機の断面図
【符号の説明】
１７  掃除機本体
１８  モータファン
２３  床ノズル
２４・３２・４１・５０・６１・６８・７７・８７  浮上板
２７・３５・４３・５２・６３・７０・７９・８９  排気口
２８・３７・４４・５３・６４・７１・８０・９０  吸込口
２９・３６  吸込流路
３１・３８  主吸込口
４８  吸込流路入口
６６・８３・９３  段差面
７４・８４  噴射口
９４  第２の吸込口
【図１】
0003763148.tif 000002
【図２】
0003763148.tif 000003
【図３】
0003763148.tif 000004
【図４】
0003763148.tif 000005
【図５】
0003763148.tif 000006
【図６】
0003763148.tif 000007
【図７】
0003763148.tif 000008
【図８】
0003763148.tif 000009
【図９】
0003763148.tif 000010
【図１０】
0003763148.tif 000011